(57)【要約】【課題】水量調節レバーや温度調節ハンドル等の操作部の操作性を格段に向上させた浴室用の水栓カウンタを提供する。【解決手段】浴室の壁面から延出する配管類の上部を掩蔽するカウンタトップと、上記配管類の前面を掩蔽するカウンタエプロンと、該カウンタエプロンに取設され、水量を調節する水量調節操作部及び水温を調節する水温調節操作部の少なくとも一方を有する水栓本体とを備える浴室用水栓カウンタにおいて、上記水量調節操作部及び水温調節操作部の少なくとも一方を、上記カウンタトップよりも高い位置に設ける。【選択図】  図３
2006094938.tif 000002
【特許請求の範囲】
【請求項１】
浴室の壁面から延出する配管類の上部を掩蔽するカウンタトップと、上記配管類の前面を掩蔽するカウンタエプロンと、該カウンタエプロンに取設され、水量を調節する水量調節操作部及び水温を調節する水温調節操作部の少なくとも一方を有する水栓本体とを備える浴室用水栓カウンタにおいて、上記水量調節操作部及び水温調節操作部の少なくとも一方は、上記カウンタトップよりも高い位置に設けられたことを特徴とする浴室用水栓カウンタ。
【発明の詳細な説明】
【技術分野】
【０００１】
本発明は、一般住戸で採用される浴室に設けられる水栓カウンタに係り、特にカウンタ前面のエプロン部に取設される浴室用水栓カウンタに関する。
【背景技術】
【０００２】
浴室の洗い場側に設けられ、カラン及びシャワーに所望の水量水温の水を給水給湯する浴室用の水栓は、洗い場の一壁面から突設するカウンタの前面エプロン部に、洗い場側に突出するように取り付けられるのが現在一般的である。これは、カウンタ天板から上方に突出するように取り付けると、カウンタ天板上のシャンプー等の小物を置くスペースが狭くなるので、これを回避するためである。
【０００３】
このカウンタ天板は、意匠性を考慮して、浴槽天端と略同じ高さ、或いは若干低めの高さに設けられることが多いが、近年、跨ぎ高さを小さくするために、この浴槽天端が低く設定されることが多く、畢竟カウンタ高さも低くなる傾向にある。
【０００４】
ところで、この水栓の本体は、給水管、給湯管及びシャワーへの分岐管を接続するために、略水平に配置された給水用接続口、シャワー用接続口及び給湯用接続口を備えるので、横設された円筒状に形成され、カウンタ内部に埋め込まれるタイプ（例えば、特許文献１参照。）と、前面エプロン部前に露出するタイプ（例えば、特許文献２参照。）とがある。前者は、水量調節レバーや温度調節ハンドルのみが露出するので意匠的にすっきりするという長所があり、後者は、カウンタ内に掩蔽される部分が少ないので、その分カウンタの突出を小さくでき、洗い場をより広く使えるという長所がある。
【０００５】
そして、この水栓本体が露出するタイプのものでは、水量調節機構及び温度調節機構は水栓本体の端部にハンドル或いはレバーとして設けられことが多く、そうすると、このハンドル或いはレバーは、当然水栓カウンタの上端及び下端の間、すなわち、水栓カウンタの直前に位置することになる。そして、入浴者が水量調節レバーや温度調節ハンドルを回動させるときに手が滑らないように、これらに突起部を設けて持ち易く使い易くする等の施策がなされている。
【特許文献１】特開２００１−１５２４９５号公報
【特許文献２】特開２０００−１３９７５３号公報
【発明の開示】
【発明が解決しようとする課題】
【０００６】
しかしながら、カウンタ高さが低くなると、カランの吐水口が低くなり、目線が低くなったり、腰を屈めなければならなかったりして使い難いという問題がある。この問題を解決するために、カラン下に洗面器置き台を設けられるが、吐水口が低ければ、この方法にも限度がある。
【０００７】
また、洗い場をより広く使いたいとの要望から、カウンタ前面のエプロン部と水量調節レバーや温度調節ハンドルとの間隔は必要最小限に設定されるため、回動時にカウンタ前面のエプロン部に水量調節レバーや温度調節ハンドルを握った手が触れ、廻し難いという問題点がある。埋込タイプのように、水量調節レバーや温度調節ハンドルを水栓本体の円筒軸と直交し、使用者に対向する向きに設ければ、水量調節レバーや温度調節ハンドルを握るには手を側方からではなく体正面から伸ばすことになり、取付高さによっては、使い難い等の問題が生じる。
【０００８】
そこで、水栓本体をカウンタ天板より高い位置にもってくれば、水量調節レバーや温度調節ハンドルの背面に前面エプロン部がなくなり、水量調節レバーや温度調節ハンドルの操作性を良くすることができるとともに、吐水口の高さを上げることもできる。ところが、そのためには、クランク形状の脚部を、給水管・給湯管と水栓本体の給水用接続口・給湯用接続口との間に追加挿入しなければならず、材料費、取付費の両面で余分なコストが発生する。また、脚部(クランク部)があるために形状が複雑になり清掃性、意匠性が極めて悪くなるという問題が新たに発生する。
【０００９】
本発明は、上述した事情を考慮してなされたもので、意匠性を損なわずに、目線が高くて、必要以上に腰を屈めなくてもよく、使い勝手のよい浴室用の水栓カウンタを提供することを目的とするものである。
【００１０】
本発明の他の目的は、水量調節レバーや温度調節ハンドル等の操作部の操作性を格段に向上させた浴室用の水栓カウンタを提供することにある。
【課題を解決するための手段】
【００１１】
本発明に係る浴室用水栓カウンタは、上述した課題を解決するために、請求項１に記載したように、浴室の壁面から延出する配管類の上部を掩蔽するカウンタトップと、上記配管類の前面を掩蔽するカウンタエプロンと、該カウンタエプロンに取設され、水量を調節する水量調節操作部及び水温を調節する水温調節操作部の少なくとも一方を有する水栓本体とを備える浴室用水栓カウンタにおいて、上記水量調節操作部及び水温調節操作部の少なくとも一方は、上記カウンタトップよりも高い位置に設けられたものである。
【発明の効果】
【００１２】
本発明に係る浴室用水栓カウンタによれば、意匠性を損なわずに、目線が高くて、必要以上に腰を屈めなくてもよく、使い勝手のよい浴室用の水栓カウンタを提供することができる。
【００１３】
また、本発明は、水量調節レバーや温度調節ハンドル等の操作部の操作性を格段に向上させることができる効果がある。
【発明を実施するための最良の形態】
【００１４】
本発明に係る浴室用水栓カウンタの実施形態について、添付図面を参照して説明する。図１は、本発明に係る浴室用水栓カウンタを備えるシステムバス１の概略を示すものである。
【００１５】
システムバス１は、壁パネル６よりなる壁面により外部と区画され、洗い場２側の浴槽３に隣接する一の壁面には、洗い場水栓７周りの配管類を掩蔽する水栓カウンタとしてのアッパーカウンタ９が突設される。このアッパーカウンタ９は、その高さが、浴槽３天端と略同一に設定され、一端が浴槽３及びバスエプロン５に当接し、図示しない他端は、アッパーカウンタ９が取設された壁面と直交する壁面に当接している。アッパーカウンタ９の前面には、洗い場水栓７が取設される。吐水手段としてはこの他に、バス水栓５及びシャワー８を備える。シャワー８は、洗い場水栓７裏面から分岐してアッパーカウンタ９の底部から延出するシャワーホース８２と、その先端に接続されたシャワーヘッド８３を有する。このアッパーカウンタ９のカウンタトップは、シャンプーのボトル等の置き場として利用される。なお、本実施形態におけるアッパーカウンタ９は、本発明の浴室用水栓カウンタを構成する。また、シャワー８は、本発明に係る浴室用水栓カウンタの必須の構成要素をなすものではない。
【００１６】
そして、アッパーカウンタ９の下方には、洗面器置き場とし使用されるロアーカウンタ１０が取設される。
【００１７】
図２は、斯かるアッパーカウンタ９及びロアーカウンタ１０を正面から見た図であり、図３は、図２中のＡ−Ａ方向から見た図である。
【００１８】
アッパーカウンタ９は、図３に示すように、上面に位置するカウンタトップ９１と、前面及び底面を掩蔽するカウンタエプロン９２とから構成される。これらはアッパーカウンタ支持材２０により壁パネル６に取り付けられる。
【００１９】
アッパーカウンタ９の幅方向略中央には、やや上方に突出して洗い場水栓７の水栓本体７０が設けられる。水栓本体７０は、水平に横設された略円筒状の円筒部７０ａと、円筒部７０ａとアッパーカウンタ９とを接続する接続部７０ｂとからなり、円筒部７０ａの中央下面からカラン７１が突出し、カラン７１の先端は水量調節ハンドル７２になっている。円筒部７０ａの一端には温度調節ハンドル７３が設けられ、他端には、送水先をカランまたはシャワーに切り替えるカランボタン７４、シャワーボタン７５が設けられる。なお、本実施形態における温度調節ハンドル７２は、本発明に係る操作部を構成する。
【００２０】
ここで、本実施形態における水量調節ハンドル７２は、本発明の水量調節操作部を構成し、温度調節ハンドル７３は、本発明の水温調節操作部を構成する。
【００２１】
図４は、この水栓本体７０を壁面に取り付けた状態を示す平面図である。水栓本体７０は、同図に示すように、アッパーカウンタ９にではなく、水栓支持材１１を介して壁面を構成する壁パネル６に取り付けられる。水栓支持材１１に当接する水栓本体７０裏面からは、給湯接続口７６、給水接続口７７及びシャワー接続口７８が延出し、夫々に給水エルボ６０、給湯エルボ６１及び水栓側シャワーエルボ６２を介してフレキシブル管（図示せず）が接続され、給水接続口７５は図示しない屋内給水管の給水止水栓、給湯接続口７６は屋内給湯管の給湯止水栓５３へと接続される。また、シャワー接続口７８は、水栓側シャワーエルボ６２を介してフレキシブル管（図示せず）が接続され、図示しないシャワー支持材により固定されたシャワーエルボに接続される。そして、シャワーエルボからシャワーホース８２を経由してシャワーヘッド８３が接続される。
【００２２】
ロアーカウンタ１０は洗面器等を適当な高さに載置できるように設けられた棚状の平板であり、ロアーカウンタ支持材３０は、ブラッケト状に形成されてこの棚を支持する。
【００２３】
水栓本体７０の温度調節ハンドル７３の中心Ｏは、図３に示したように、水栓本体７０頂部をカウンタトップ９１より上方へ高さＨ１だけ突出させることにより、カウンタトップ９１よりやや上方に位置しているので、温度調節ハンドル７３の上半分以上の背後にはカウンタエプロン９２が存在せず、壁パネル６までの距離が開放されている。
【００２４】
また、アッパーカウンタ９と温度調節ハンドル７３とが最接近する位置は、カウンタトップ９１の角部（天板を構成する水平部とカウンタエプロン９２に接続される垂直部との交差部）と温度調節ハンドル７３の中心Ｏを結ぶ線上にあり、この線は水平ではないので、その距離Ｄ１はその水平投影長さＤ２より大きい。そして、この水平投影長さＤ２は、他ならぬ従来型の浴室用水栓カウンタにおけるカウンタエプロンと温度調節ハンドルとの距離である。したがって、本実施形態に係る浴室用水栓カウンタによれば、温度調節ハンドル７３の下半分においても、水栓金具を使用者側により突出させることなく、水栓エプロンと温度調節ハンドル７３との距離を大きくすることができる。
【００２５】
一方、高さ方向においては、水栓本体７０頂部を上方へ高さＨ１だけ突出させることにより、カラン７１（本実施形態においては、水量調節ハンドル７２）の先端位置も上がる。従来の水栓カウンタでは、水栓金具はカウンタエプロンタの中段に設けられることが多いので、カラン７１からロアーカウンタ１０までの高さＨ２を、そのような場合と比較すると、アッパーカウンタ９の高さを上げることなく、大幅に大きくすることができる。或いは、カラン７１からロアーカウンタ１０までの高さＨ２を保ちつつ、洗い場２の床面からロアーカウンタ１０までの高さＨ３を大きくすることも可能である。
【００２６】
カラン７１からロアーカウンタ１０までの高さＨ２を大きくすれば、カラン７１が障害にならず、洗面器をロアーカウンタ１０上に置く、ロアーカウンタ１０上から下ろすという使い勝手が良くなる。また、洗い場２の床面からロアーカウンタ１０までの高さＨ３を大きくすれば、洗面器使用時に前に屈み込む量が小さくてすみ動作が楽になる。いずれの場合においても、水栓本体７０は、高い位置にあるので、通常使用時の目線の高さに近づき、これによっても使い勝手がよいものとなる。
【００２７】
さらに、アッパーカウンタ９の高さは、浴槽３の天端と略同一に保たれるので、浴槽３の天端より高くなった場合のように、アッパーカウンタ９を浴槽３上にまで延出させる等の細工を施す必要もなく、アッパーカウンタ９の端部の収まりがよく意匠性に優れる。そして、カウンタトップ９１上に載置されたシャンプーのボトル等も取り易い。
【００２８】
加えて、水栓本体７０の円筒部７０ａの中心Ｏは、上述のように、水栓本体の一部を成す接続部７０ｂを介してカウンタトップ９１よりも高い位置に持ち上げられている。したがって、例えば、クランク形状の脚部を、給水エルボ６０や給湯エルボ６１と水栓本体７０の給水用接続口７６や給湯用接続口７７との間に追加挿入する必要はなく、材料費、取付費の両面で余分なコストが発生することはない。また、クランク部がないために形状がシンプルであり、清掃性、意匠性も良い。
【００２９】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００３０】
例えば、本実施形態では、操作部として温度調節ハンドル７２のみを有する水栓本体を例にとって説明したが、操作部は温度調節ハンドルのみに限られず、円筒部の他端に水量調節ハンドル、及び／又は、カラン／シャワー切り替えレバーを備える水栓本体であってもよい。
【００３１】
また、本実施形態では、水栓カウンタとしてのアッパーカウンタ９の下に洗面器置き場としてのロアーカウンタ１０を備えるものを例に採って説明したが、このロアーカウンタ１０は必ずしも必要ではなく、これがなくても、水量調節レバーや温度調節ハンドル等の操作部の操作性を格段に向上させるという本発明の目的を達成することができる。
【図面の簡単な説明】
【００３２】
【図１】本発明に係る浴室用水栓カウンタを備えるシステムバスの概要を示す斜視図。
【図２】本発明に係る浴室用水栓カウンタの正面図。
【図３】図２のＡ−Ａ矢視図。
【図４】本発明に係る水栓カウンタに取り付けられる水栓金具及びその支持材の平面図。
【符号の説明】
【００３３】
１  システムバス
２  洗い場
３  浴槽
４  バスエプロン
５  バス水栓
６  壁パネル
７  洗い場水栓
８  シャワー
９  アッパーカウンタ
１０  ロアーカウンタ
１１  水栓支持材
２０  アッパーカウンタ支持材
３０  ロアーカウンタ支持材
５３  給湯止水栓
６０  給水エルボ
６１  給湯エルボ
６２  水栓側シャワーエルボ
７０  水栓本体
７０ａ  円筒部
７０ｂ  接続部
７１  カラン
７２  水量調節ハンドル
７３  温度調節ハンドル
７４  カランボタン
７５  シャワーボタン
７６  給水接続口
７７  給湯接続口
７８  シャワー接続口
８２  シャワーホース
８３  シャワーヘッド
９１  カウンタトップ
９２  カウンタエプロン
【図１】
2006094938.tif 000003
【図２】
2006094938.tif 000004
【図３】
2006094938.tif 000005
【図４】
2006094938.tif 000006